(57)【特許請求の範囲】
【請求項１】
上部および底部を有する播種ユニットであって、前記底部は前記ユニットを用いて播種する際に土壌上に設置されることが意図される部分であり、
ここで、前記播種ユニットは、吸水性材料（２）、筐体（１、４）、及び少なくとも１つの種子（７）を含み、
ここで、
前記吸水性材料（２）は、塩基性アミノ酸を含むバーミキュライトを含み、水分への曝露後に発芽苗の貫通を可能にし、かつ、前記ユニットが底部を下にして前記土壌上に設置された場合、前記吸水性材料が湿度に曝露されると、前記種子および前記種子に対して少なくとも１ｃｍ以内の前記土壌が前記吸水性材料により実質的に被覆されるようなサイズおよび形状である本体を形成するように構成され、
前記筐体（１、４）は、前記吸水性材料（２）を実質的に封入し、少なくとも前記底部の筐体は実質的に急速水分解性材料で作製され、
前記種子（７）は、前記吸水性材料（２）の底部に形成された空洞内に位置するか、または、前記吸水性材料（２）に形成された穴内に埋設されている、
播種ユニット。
【請求項２】
上部および底部を有する播種ユニットであって、前記底部は前記ユニットを用いて播種する際に土壌上に設置されることが意図される部分であり、
ここで、前記播種ユニットは、吸水性材料（２）、筐体（１、４）、及び少なくとも１つの種子（７）を含み、
ここで、
前記吸水性材料（２）は、塩基性アミノ酸を含むバーミキュライトを含み、水分への曝露後に発芽苗の貫通を可能にし、かつ、前記ユニットが底部を下にして前記土壌上に設置された場合、前記吸水性材料が湿度に曝露されると、前記種子および前記種子に対して少なくとも１ｃｍ以内の前記土壌が前記吸水性材料により実質的に被覆されるようなサイズおよび形状である本体を形成するように構成され、
前記筐体（１、４）は、前記吸水性材料（２）を実質的に封入し、少なくとも前記底部の筐体は実質的に急速水分解性材料で作製され、
前記種子（７）は、前記吸水性材料（２）に形成された穴内に埋設されている、
播種ユニット。
【請求項３】
前記吸水性材料（２）は、圧縮されている、請求項１または２に記載の播種ユニット。
【請求項４】
前記塩基性アミノ酸は、Ｌ−アルギニンを含む、請求項１から３のいずれか一項に記載の播種ユニット。
【請求項５】
前記種子は、マツの木の種子またはトウヒの木の種子である、請求項１から４のいずれか一項に記載の播種ユニット。
【発明の詳細な説明】
【技術分野】
【０００１】
本発明は、屋外に植え付けられた場合の改善された発芽率、ならびに乾燥した、および栄養物質が欠乏した環境での種子の生長のための方法および播種ユニットを提供する分野に関する。播種ユニットは、窒素源の長期アクセスと組み合わせて、発芽率を増加させるために毛管水を収集するように設計される。
【背景技術】
【０００２】
今日、乾燥した環境における地面への種子の植え付けは、世界中で極めて一般的である。多くの場所において、種子が植え付けられるべき土壌はまた、窒素（Ｎ）、リン（Ｐ）、およびカリウム（Ｋ）等の栄養物質が欠乏している。
【０００３】
いくつかの研究では、種子の発芽および樹立の重要な態様は、主に好適な水分および水の条件、より具体的には毛管水であることが示されている。
【０００４】
降水および日照の間の乾燥および湿潤サイクルに起因する微気候における変動は、発芽率に悪影響を及ぼす。
【０００５】
種子の発芽を助けるために種子付近の水分条件を向上させるための種子被覆の方法は、数百年の間周知の技術である。
【０００６】
小植物、植物体等は、生長の間栄養物質を必要とするが、初期発芽段階の間の高濃度の栄養物質は発芽を阻害し、それにより発芽率が低減される可能性があることもまた周知である。
【０００７】
森林の再生
植物体の植え付けと比較して、播種は、多数のヘクタール当たりの幹数を得るための費用効率の良い手法である。高い幹密度は、高い全体的生産量／面積および良好な木材品質の機会を提供する。したがって、直まきは、森林の再生をもたらすための効果的および比較的安価な手法であるが、直まきがより大規模に使用されるまでにはまだ解決すべき問題がある。
【０００８】
直まきに関する１つの大きな問題は、種子が発芽するための十分な水へのアクセスである。したがって、直まきに関する実質的な問題は、上部２ｃｍの土壌層における（予測不可能な）降水および水分条件に大きく依存することによる、不安定および低い発芽結果である。しかしながら、毛管水の利用可能性は、ほとんどの場合無限である。しかしながら、毛管水へのアクセスは、他の非生物要因と共に蒸発速度を決定付ける土壌の種類に起因して異なる。北欧の国々における砂質土においては、表面付近の蒸発は、多くの場合、土壌層の上部が乾燥しすぎて種子が膨潤および発芽しない程に大きい。これは、暑い夏の日中にはさらにより顕著である。世界中のより乾燥した地域の場合、表面付近の蒸発速度は、しばしば北方林の場合よりも高く、種子が発芽するための条件はさらにより低い。
【０００９】
水分およびアクセス可能な水は、２５年間の期間、Ｓｗｅｄｅｎ北部において研究されてきた。最近の概要では、乾燥した砂質のシルト質氷堆石が１〜２ｃｍの腐植土で被覆されると、水ポテンシャルは、この被覆がない場合より実質的に高く、より安定であることが検証された。事実、研究において、水ポテンシャルは、水分条件が、種子が膨潤し始め発芽するのに十分であることを明らかにした。
【００１０】
平均して、種まきされたマツの種子のわずか１０％が、２年後に植物を形成する。低い発芽結果を補うために、林業企業は、一般的に大量（４００００〜６００００種子／ｈａ）に種子を供給し、種子の費用が全体的な再生費用のかなりの割合となる。別の欠点は、長期のより高い生長率を有する精英樹を使用するのが、高い種子費用および限定された種子供給に起因して実現不可能であることである。精英樹の種子を使用することができるためには、安定した高い植物形成のための高い確率を有する新たな方法およびツールが必要である。
【００１１】
種子の発芽を助けるために種子付近の水分条件を向上させるための種子の被覆方法は、周知の技術である。しかしながら、森林地域の森林再生に関してそれを実用するのは、作業の困難さのために非経済的であった。そのような方法を費用効率良く行うためには、種子被覆のための単純化されたデバイスが必要である。
【００１２】
ほとんどの北方林においては、窒素、カリウム、またはリン等の栄養物質もまた欠乏しており、したがって、これらの少なくとも１種を含む栄養物質を添加する必要がある。栄養物質、特に窒素の欠乏は、北方林における樹木生長を最も制限する因子とみなされている。
【００１３】
直まきにおいては、種子が栄養物質に不足した鉱質土壌に直接播種されるため、栄養源が必要である。特に、徐々に放出され、新たに播種された種子の周囲の土壌に数年間残留する窒素が必要である。
【００１４】
したがって、毛管水を吸収／捕捉して水を保持すると同時に、発芽率を低下させることなく栄養物質を保持することができるデバイスが必要である。
【００１５】
既知の技術
種子の取扱いおよび種まきのための様々なデバイスが、市場および特許文献において見出される。そのようなデバイスは、種子用の容器と、吸水性材料と、栄養物質を有する部分とを含有し得る。それらはストリップまたはバンドとして形成され得、また紙、デンプン、または分解性材料で作製され得る。
【００１６】
米国特許出願第ＵＳ２０１２００３６７３３号は、フェルト層および吸水含有層で構成される、種まきに使用され得るフェルト材料を提案している。
【００１７】
英国出願第ＧＢ２３４７８３６号は、農業における従来の慣習のように土地に対して準備することなく、乾燥地域において作物／樹木／低木を植え付ける方法を記載している。この方法は、長方形、正方形、または六角形の形状であってもよい生物分解性バッグの使用を含む。バッグは、種子、根生長培地、および肥料を含有してもよい。
【００１８】
大韓民国第ＫＲ１００７７２９９２号では、種子の栽培特性に従って一定間隔を置いて種子を等しく分布および配列させることにより、元の位置で種を萌芽および生長させるための分解性種子封入シートが提供される。この播種デバイスは、デンプンまたはパルプで作製された分解性シートの２つの層と、これらの間にある、萌芽促進剤または植物栄養物質を有する種子層とで作製される。
【００１９】
同様の紙テープが中国第ＣＮ２０１６３９９５０号において提案されており、これは、イネ種子をイネ苗に生育させること、および田植え機に好適となるように栽培されたイネ苗を作製することを意図する。
【００２０】
軽量で易溶性の紙材料で作製された種子の固定に使用される接着層を有する、種子を有する種子包装ストリップ／プレートが、中国第ＣＮ１０１３５２１１９号において提案されている。
【００２１】
米国第ＵＳ２６４８１６５号は、永久的水溶性接着材料を含む種子用担体を記載している。種子担体は、セルロースのメチルエーテルから、または他の合成樹脂もしくは炭水化物もしくはそれらの誘導体のいずれかから形成され得る。
【００２２】
米国第ＵＳ５８０２７６３号では、生長材料の植え付け培地および空隙率増加材料を利用した植物播種ユニット、ならびにそれを作製する方法が提案されている。空隙率増加材料は、発芽段階の間、水を維持する。
【００２３】
米国特許第３９３８２８１号は、各ユニット内に種子を有するいくつかの泥炭体で作製された発芽および苗アセンブリを記載している。泥炭体は、プラスチック枠内に設置される。枠は、地面から水分を吸収して種子の発芽を高めるために、地面の上に設置されるべきである。これらの枠に関する問題は、枠の底部が平坦であり、その一部のみが土壌と接触し、それによって多くの種子が水にアクセスせず、結果として発芽率が低いことである。これらの枠の使用中には他の問題も確認されており、鳥が枠の下にいる虫を見つけるために乗り掛かってそれらをひっくり返し、強い風がプレートを移動させたが、最も重大な問題は低い発芽率であった。このデバイスの使用はまた、極めて複雑で費用を要することが判明した。
【００２４】
米国第ＵＳ３７３３７４５号では、泥炭等の水分吸収物質を有する苗促進ユニットが提案されており、種子（複数可）は、泥炭の上に設置され、鉄線により支持された蒸発保護で被覆される。これに関する欠点は、種子（複数可）が地面からの毛管水と直接接触しないことである。さらに、泥炭は、乾燥後は疎水性であり、したがって一旦乾燥すると、水分を再吸収するのが困難である。生長基材の上に設置された種子はまた、日光に曝され、容易に乾燥する。
【００２５】
国際公開第ＷＯ２００８／０４４９９５Ａ１号の発明は、アイスホッケーのパックのサイズの、円筒形種子植え付けユニット、種子植え付けユニットの植え付け構成を記載している。種子植え付けユニット、すなわちパックは、生長培地（泥炭）と、生長培地の上に設置された１つまたはいくつかの種子とで構成される。植え付けデバイスは、パックを毛管水と接触させて数回膨潤させ、次いで種子が発芽するように、パックを鉱質土壌中深くに到達させるために使用される。この方法に関する１つの明らかな欠点は、種子（複数可）が、日光または種子捕食からの保護なしにパックの上に設置されることである。別の問題は、パックが膨潤するにつれて種子が上方に持ち上げられ、それによって日光ならびに反復的な湿潤および乾燥サイクルに常に曝され、これが発芽率を低下させることである。いくつかの圃場試験では、これによって植物の形成が気候に依存するようになることが示された。
【００２６】
別の発明である欧州第ＥＰ１２５３８１９号は、制御された発芽プロセスのための種子テープに関連し、１つずつ切り取ることができる、種子を有する配列した発芽ユニットを含む。この種子テープは、２つの紙層と、任意選択でその間の添加剤および担体とで作製される。この発明における紙は、高い湿潤強度を有するべきである。
【００２７】
英国第ＧＢ２３６５７３８号の発明は、農業における従来の慣習のように土地に対して準備することなく、乾燥地域において作物／樹木／低木を植え付ける方法を提案している。この方法は、長方形、正方形、または六角形の形状であってもよい生物分解性バッグの使用を含む。バッグは、種子、根生長培地、および肥料を含有してもよい。どのようにして水分または水を引き寄せるか、および栄養物質を種子の近くに維持することに関しては、何も提案されていない。
【００２８】
上部および下部フィルムならびに種子を有する種まきユニットの製造方法が、中国第ＣＮ１５８９６００号において提案されている。
【００２９】
上述の参考文献はいずれも、発芽率を維持または増加させる、大容量の水収集および徐放性窒素の結合を組み合わせる手法を提案していない。
【００３０】
さらに、種子の播種後の長い期間の間にどのようにして栄養物質が放出され得るかに関しては教示されていない。
【００３１】
直まきにおいては、他の問題も存在する。野生動物または野鳥が種子を食べる可能性がある。発芽を開始させたかもしれない雨水が、種子を乾燥および死滅させ得る望ましくない位置に移動させる可能性がある。乾燥している、また風が強い場合、広範囲の被覆／蓋が吹き飛ばされる可能性がある。ほとんどの北方林においては、窒素、カリウム、またはリン等の栄養物質もまた欠乏しており、これらの少なくとも１種を含む栄養物質を添加する必要がある。
【００３２】
したがって、上述の問題および必要性に対応する、容易に適用可能な被覆方法およびデバイスが必要とされている。本発明の目的は、上述の必要性に対応するデバイスおよび方法を提供することである。
【発明の概要】
【００３３】
本発明は、以下の項目に関連し、それを包含する。
１．播種ユニットであって、
−上部および底部であって、底部は、ユニットを用いて播種する際に土壌に対して設置されることが意図される部分である、上部および底部と、
−水分への曝露後に発芽苗の貫通を可能にする、吸水性材料（２）と、
−吸水性材料（２）を実質的に封入する筐体（１、４）であって、底部（４）を封入する筐体の少なくとも一部は、実質的に急速水分解性材料で作製される、筐体と、
−少なくとも１つの種子（７）と、を備え、
播種ユニットは、
−種子（７）が、ユニットの底部における吸水性材料（２）と接触して位置する、またはその中に埋設されるように、かつ
−吸水性材料（２）が、ユニットが底部を下にして土壌上に設置された場合、種子および土壌が種子の少なくとも半径１ｃｍ以内、好ましくは少なくとも半径３ｃｍ以内で吸水性材料により実質的に被覆されるように好適なサイズおよび形状である本体を形成するように構成され、
吸水性材料（２）が、
−Ｋ＋、ＮＨ４＋、Ｌ−アルギニン、Ｌ−リシン、およびＬ−ヒスチジンから選択される正電荷栄養物質イオンに結合することができる吸湿性負電荷材料と、
−任意選択で、Ｋ＋、ＮＨ４＋、Ｌ−アルギニン、Ｌ−リシン、およびＬ−ヒスチジンから選択される正電荷栄養物質イオン（複数可）を含む栄養物質と、を含むことを特徴とする、播種ユニット。
２．播種ユニットであって、
−上部および底部であって、底部は、ユニットを用いて播種する際に土壌に対して設置されることが意図される部分である、上部および底部と、
−水分への曝露後に発芽苗の貫通を可能にする、吸水性材料（２）と、
−吸水性材料（２）を実質的に封入する筐体（１、４）であって、底部（４）を封入する筐体の少なくとも一部は、実質的に急速水分解性材料で作製される、筐体と、
−少なくとも１つの種子（７）と、を備え、
播種ユニットは、
−種子（７）が、ユニットの底部における吸水性材料（２）内の空洞内に位置する、またはそれと接触している、またはその中に埋設されるように、かつ
−ユニットが底部を下にして土壌上に設置された場合、吸水性材料が湿度に曝露されると、種子および土壌が種子の少なくとも半径１ｃｍ以内で、好ましくは少なくとも半径３ｃｍ以内で吸水性材料により実質的に被覆されるように、吸水性材料（２）が好適なサイズおよび形状である本体を形成するように構成され、
吸水性材料（２）が、
−Ｋ＋、ＮＨ４＋、Ｌ−アルギニン、Ｌ−リシン、およびＬ−ヒスチジンから選択される正電荷栄養物質イオンに結合することができる吸湿性負電荷材料と、
−任意選択で、Ｋ＋、ＮＨ４＋、Ｌ−アルギニン、Ｌ−リシン、およびＬ−ヒスチジンから選択される正電荷栄養物質イオンを含む栄養物質と、を含むことを特徴とする、播種ユニット。
３．吸湿性負電荷材料は、鉱物を含む、上記項目に記載の播種ユニット。
４．鉱物は、シリカ、バーミキュライト、またはゼオライト、好ましくはバーミキュライトを含む、項目３に記載の播種ユニット。
５．吸湿性負電荷材料は、水／湿度に曝露されると膨張する膨潤化合物と混合される、上記項目のいずれか一項に記載の播種ユニット。膨潤化合物は、ミックス中の吸湿性負電荷材料の０．１〜１０、０．１〜５、０．１〜４、０．１〜３、０．１〜２、０．１〜１、０．５〜１、０．５〜２、または０．５〜３重量％である、上記項目に記載の播種ユニット。
６．吸湿性負電荷材料は、アニオン性ポリマーを含む、上記項目のいずれか一項に記載の播種ユニット。
７．アニオン性ポリマーは、アニオン性多糖類を含む、項目６に記載の播種ユニット。
８．アニオン性多糖類は、カルボキシメチルセルロース、アルギン酸、ウェランガム、キサンタン、ペクチン酸塩、ラクトビオン酸、硫酸化アニオン性多糖類（ＳＡＰ）、ポリ硫酸ペントサン、ＰＰＳアガロース、κ−カラギーナン、およびλ−カラギーナンからなる群から選択される多糖類を含む、項目７に記載の播種ユニット。
９．吸水性材料は、泥炭を含む、上記項目のいずれか一項に記載の播種ユニット。
１０．吸水性材料は、バーミキュライトである、上記項目のいずれか一項に記載の播種ユニット。
１１．上部および底部は、同じ紙、好ましくは溶解性紙で作製される、上記項目のいずれか一項に記載の播種ユニット。
１２．播種ユニットは、底部（４）を封入する筐体の一部に係止された種子保持部（３）を備え、種子（７）は、吸水性材料（２）と種子保持部（３）との間に設置される、上記項目のいずれか一項に記載の播種ユニット。
１３．種子保持部（３）および／または全筐体（１、４）は、実質的に急速水分解性材料で構成される、項目８に記載の播種ユニット。
１４．急速水分解性材料は、短繊維セルロースを含む材料で作製される、上記項目のいずれか一項に記載の播種ユニット。
１５．急速水分解性材料は、カルボキシメチルセルロース（ＣＭＣ）を含む材料で作製される、上記項目のいずれか一項に記載の播種ユニット。
１６．吸水性材料（２）は、５０〜２００ｍｌ、５０〜１００ｍｌ、５０〜２００ｍｌ、５０〜３００ｍｌ、１００〜２００ｍｌ、１００〜３００ｍｌ、１５０〜２００ｍｌ、５０〜３００、５０〜４００ｍｌ、５０〜５００ｍｌ、５０〜６００ｍｌ、５０〜７００ｍｌ、または５０〜８００ｍｌ、好ましくは約１５０ｍｌの体積を有する、上記項目のいずれか一項に記載の播種ユニット。
１７．吸水性材料（２）は、圧縮されている、上記項目のいずれか一項に記載の播種ユニット。
１８．圧縮された吸水性材料（２）は、種子の直径に対する厚さを有し、厚さは、０．１ｃｍ、０．２ｃｍ、０．３ｃｍ、０．４ｃｍ、０．５ｃｍ、０．６ｃｍ、０．７ｃｍ、０．８ｃｍ、０．９ｃｍ、または１．０ｃｍ、好ましくは０．３ｃｍであってもよい、上記項目のいずれか一項に記載の播種ユニット。
１９．吸水性材料（２）は、膨潤後、０．１〜１ｃｍ、０．５〜２ｃｍ、０．５〜５ｃｍ、１〜２ｃｍ，１〜３ｃｍ，１〜４ｃｍ、１〜５ｃｍ、２〜３ｃｍ、２〜４ｃｍ、または２〜５ｃｍ、好ましくは約１ｃｍの厚さを有する、上記項目のいずれか一項に記載の播種ユニット。
２０．吸水性材料（２）は、０．１〜１ｃｍ、０．５〜２ｃｍ、０．５〜５ｃｍ、１〜２ｃｍ、１〜３ｃｍ、１〜４ｃｍ、１〜５ｃｍ、２〜３ｃｍ、２〜４ｃｍ、または２〜５ｃｍ、好ましくは約１ｃｍの厚さを有する、上記項目のいずれか一項に記載の播種ユニット。
２１．筐体は、一連の穴（６、５ａ、５ｂ）を有する、上記項目のいずれか一項に記載の播種ユニット。
２２．正電荷栄養物質は、本質的に添加されない、上記項目のいずれか一項に記載の播種ユニット。
２３．栄養物質は、Ｌ−アルギニンを含む、上記項目のいずれか一項に記載の播種ユニット。
２４．Ｌ−アルギニンの量は、種子当たり２〜５０ｍｇ、２〜２０ｍｇ、５〜４０ｍｇ、１０〜３０ｍｇ、５〜３０ｍｇの窒素、好ましくは５〜２０ｍｇに対応する、項目１５に記載の播種ユニット。
２５．種子は、マツの木の種子またはトウヒの木の種子、好ましくはマツの木の種子である、上記項目のいずれか一項に記載の播種ユニット。
２６．吸水性材料（２）が、ユニットが底部を下にして土壌上に設置された場合、種子および土壌が種子の少なくとも半径１ｃｍ、２ｃｍ、３ｃｍ、４ｃｍ、５ｃｍ、６ｃｍ、７ｃｍ、８ｃｍ、９ｃｍ、１０ｃｍ、１２ｃｍ、１５ｃｍ、または２０ｃｍ以内、好ましくは５ｃｍ以内で吸水性材料により実質的に被覆されるように好適なサイズおよび形状である本体を形成するように構成される、上記項目のいずれか一項に記載の播種ユニット。
２７．実質的に丸い（円形状である）、上記項目のいずれか一項に記載の播種ユニット。
２８．上記項目のいずれか一項に記載の播種ユニットの、播種ユニット内の種子を播種するための使用であって、
−播種ユニットを土壌に接触させて土壌上に設置するステップを含み、
−任意選択で、播種ユニットは、設置後に土壌に押し付けられる方法。
２９．上記項目のいずれか一項に記載の播種ユニットの、播種ユニット内の種子を播種するための使用であって、
−上部を上にして、および底部を土壌に接触させて播種ユニットを土壌上に設置するステップを含む、使用。
３０．播種ユニットを設置する前に、ユニットが設置される土壌は、ミクロ調製により処理される、上記使用項目のいずれか一項に記載の使用。
３１．種子を土壌上に播種するための方法であって、
ａ）播種ユニットであって、
−栄養物質を含む吸水性材料（２）と、
−種子（７）と、を備え、
−播種ユニットは、
・吸水性材料が種子に接触するように、かつ
・吸水性材料が、上から見た場合に種子および種子に対して少なくとも半径１ｃｍ、好ましくは少なくとも３ｃｍ以内の土壌が吸水性材料により実質的に被覆されるような方位で、播種ユニットを土壌上に設置することを可能にするのに好適なサイズおよび形態である本体を形成するように構成される、播種ユニットを提供するステップと、
ｂ）上から見た場合に種子および土壌が種子の少なくとも３ｃｍ以内で吸水性材料により実質的に被覆されるような方位で、播種ユニットを土壌上に設置するステップ、または
ｃ）上から見た場合に、湿度に曝露されると種子および土壌が種子に対して少なくとも半径１ｃｍ以内で吸水性材料により実質的に被覆されるような方位で、播種ユニットを土壌上に設置するステップと、を含む、方法。
３２．種子は、マツの木の種子またはトウヒの木の種子、好ましくはマツの木の種子である、上記方法項目に記載の方法。
３３．土壌は、鉱質土壌であり、方法は、温帯気候において鉱質土壌に播種するための方法である、上記方法項目のいずれか一項に記載の方法。
３４．
−吸水性材料は、Ｋ＋、ＮＨ４＋、Ｌ−アルギニン、Ｌ−リシン、またはＬ−ヒスチジンに結合することができる吸湿性負電荷材料を含み、
−栄養物質は、Ｋ＋、ＮＨ４＋、Ｌ−アルギニン、Ｌ−リシン、またはＬ−ヒスチジン、好ましくはＬ−アルギニンを含む、上記方法項目のいずれか一項に記載の方法。
３５．吸水性材料は、泥炭を含む、上記方法項目のいずれか一項に記載の方法。
３６．吸湿性負電荷材料は、鉱物を含む、上記方法項目のいずれか一項に記載の方法。
３７．鉱物は、シリカ、バーミキュライト、またはゼオライト、好ましくはバーミキュライトを含む、項目２６に記載の方法。
３８．吸湿性負電荷材料は、アニオン性ポリマーを含む、上記方法項目のいずれか一項に記載の方法。
３９．アニオン性ポリマーは、アニオン性多糖類を含む、項目２８に記載の方法。
４０．アニオン性多糖類は、カルボキシメチルセルロース、アルギン酸、ウェランガム、キサンタン、ペクチン酸塩、ラクトビオン酸、硫酸化アニオン性多糖類（ＳＡＰ）、ポリ硫酸ペントサン、ＰＰＳアガロース、κ−カラギーナン、およびλ−カラギーナンからなる群から選択される多糖類を含む、項目２９に記載の方法。
４１．播種ユニットは、吸水性材料が、上から見た場合に種子および種子の少なくとも１ｃｍ以内、好ましくは少なくとも３ｃｍ以内、より好ましくは少なくとも５ｃｍ以内の土壌が吸水性材料により実質的に被覆されるような方位で、播種ユニットを土壌上に設置することを可能にするのに好適なサイズおよび形態である本体を形成するように構成され、
方法は、上から見た場合に種子および種子の少なくとも１ｃｍ以内、好ましくは少なくとも３ｃｍ以内、より好ましくは少なくとも５ｃｍ以内の土壌が吸水性材料により実質的に被覆されるような方位で、播種ユニットを土壌上に設置するステップを含む、上記方法項目のいずれか一項に記載の方法。
４２．吸水性材料は、５０〜２００ｍｌ、５０〜１００ｍｌ、５０〜２００ｍｌ、５０〜３００ｍｌ、１００〜２００ｍｌ、１００〜３００ｍｌ、１５０〜２００ｍｌ、５０〜３００、５０〜４００ｍｌ、５０〜５００ｍｌ、５０〜６００ｍｌ、５０〜７００ｍｌ、または５０〜８００ｍｌ、好ましくは約１５０ｍｌの体積を有する、上記方法項目のいずれか一項に記載の方法。
４３．吸水性材料は、０．１〜１ｃｍ、０．５〜２ｃｍ、０．５〜５ｃｍ、１〜２ｃｍ、１〜３ｃｍ，１〜４ｃｍ、１〜５ｃｍ、２〜３ｃｍ、２〜４ｃｍ、または２〜５ｃｍ、好ましくは約１ｃｍの厚さを有する、上記方法項目のいずれか一項に記載の方法。
４４．吸水性材料は、圧縮された場合、０．１ｃｍ、０．２ｃｍ、０．３ｃｍ、０．４ｃｍ、０．５ｃｍ、０．６ｃｍ、
０．７ｃｍ、０．８ｃｍ、０．９ｃｍ、または１．０ｃｍ、好ましくは０．３ｃｍの厚さを有する、上記方法項目のいずれか一項に記載の方法。
４５．播種ユニットは、
上部シート（１）および底部シート（４）であって、少なくとも底部シート（４）は透水性であり、実質的に急速水分解性材料で構成される、上部シート（１）および底部シート（４）と、
上部シート（１）と底部シート（４）との間に配置される吸水性材料（２）と、
吸水性材料と底部シートとの間に設置される少なくとも１つの種子（７）と、
を備える、上記方法項目のいずれか一項に記載の方法。
４６．種子（７）は、上部シートと底部シートとの間の吸水性材料内の空洞または穴内に設置される、項目３４に記載の方法。
４７．穴は、好ましい種子のサイズに適合する直径を有し、マツの種子の場合、直径は、１．０ｍｍ、２．０ｍｍ、３．０ｍｍ、４．０ｍｍ、もしくは５．０ｍｍ、または１．０〜５．０ｍｍの間の任意のサイズであってもよい、上記方法項目のいずれか一項に記載の方法。
４８．種子（７）は、吸水性材料と底部シートとの間に設置される、項目３４に記載の方法。
４９．播種ユニットは、底部シート（４）に係止された種子保持シート（３）を備え、種子（７）は、底部シートと種子保持シート（３）との間に設置される、項目３４または３５に記載の方法。
５０．シートの１つ以上は、短繊維セルロース、好ましくはカルボキシメチルセルロースを含む、項目３４〜３６のいずれか一項に記載の方法。
５１．上部および／または底部シートは、一連の穴を有する、項目３４〜３７のいずれか一項に記載の方法。
５２．上部シート（２）は、実質的に、水により容易に分解する材料で構成される、項目３４〜３８のいずれか一項に記載の方法。
５３．栄養物質は、
種子当たり２〜５０ｍｇの窒素、好ましくは５〜２０ｍｇに対応する窒素を含む、上記方法項目のいずれか一項に記載の方法。
５４．播種ユニットは、項目１〜１８のいずれか一項に定義される通りである、上記方法項目のいずれか一項に記載の方法。
【００３４】
定義
吸水性材料は、高度に水を吸収する材料である。吸水性材料により吸収され得る水の重量は、少なくとも３０％、４０％、５０％、６０％、７０％、８０％、９０％、１００％、１２０％、１４０％、１６０％、２００％もしくは３００％、または吸水性材料の重量である。吸水性材料の例は、泥炭、バーミキュライト、ゼオライト、腐植土、およびポリマーである。
【００３５】
吸湿性材料：吸湿性材料は、雰囲気または地面から水分子を吸収する。この用語は、セルロール、リグニンおよび木質繊維、例えば綿および紙、多くの肥料化学物質、多くの塩、ならびに多種多様な他の物質を含む。多くの吸湿性材料はまた、パーライト、シリカ、バーミキュライト、およびゼオライト等の良好な吸水性材料である。
【００３６】
吸湿性負電荷鉱物の例は、シリカ、バーミキュライト、およびゼオライトである。バーミキュライトは、非膨張性黒雲母層からの不活性天然鉱物である。バーミキュライトは、鉱山に見られ、加熱により非圧密構造をとり、これは膨張バーミキュライトと呼ばれる。バーミキュライトは、やや高いカチオン交換容量を有する。異なる吸水性により、いくつかの異なる品質のバーミキュライトが存在する。
【００３７】
吸湿性材料の他の形態は、水／湿度に曝露されると膨張する膨張性または膨潤性化合物であってもよい。膨張性または膨潤性化合物の例は、アクリルアミドおよび貯水性顆粒である。いくつかの貯水性顆粒は、Ｓｗｅｌｌｇｅｌの商標名で販売されている。
【００３８】
バーミキュライトは、天然において発見される場所に依存して、いくつかの異なる変種として存在する。本発明において、圧縮バーミキュライトは、固体乾燥単位を形成するために型内で互いに圧縮され得る、バーミキュライトの任意の変種であってもよい。この単位は、手で取り扱われるのに十分丈夫であるべきである。乾燥バーミキュライトとは、最大１、２、３、４、５、６、７、８、９、または最大１０重量％の水を有するバーミキュライトを指す。水を取り込んだ後、圧縮バーミキュライトは膨潤して崩壊し、種子が材料を貫通することを可能にするゆるい基材を形成する。
【００３９】
正電荷栄養物質イオンに結合することができる負電荷材料は、本発明に関連して、ｐＨおよび塩濃度の点での植物生長に関する水性条件において、正電荷栄養物質イオンを実質的に保持することができる任意の材料を意味する。そのような結合は可逆的であることを理解されたい。
【００４０】
負電荷材料への正電荷栄養物質（例えば窒素）の結合は、荷電イオン分子を荷電基材に結合させる様式である。荷電イオン分子の例は、Ｋ＋、ＮＨ４＋、中性ｐＨで正に帯電した塩基性アミノ酸であり、栄養物質として使用され得る他の多くの正電荷の群が存在する。したがって、栄養物質の結合は、イオン間相互作用であり、永久的ではない。したがって、正電荷栄養物質イオンは、負電荷基材から遊離し得、生長する植物に使用され得る。
【００４１】
急速水分解性材料、すなわち水により容易に分解される材料は、標準ＩＳＯ  ３７８１：１９８３またはその後のバージョン「紙および板紙―水中浸漬後の引張強度の決定（Ｐａｐｅｒ  ａｎｄ  ｂｏａｒｄ  −Ｄｅｔｅｒｍｉｎａｔｉｏｎ  ｏｆ  ｔｅｎｓｉｌｅ  ｓｔｒｅｎｇｔｈ  ａｆｔｅｒ  ｉｍｍｅｒｓｉｏｎ  ｉｎ  ｗａｔｅｒ）」を用いて測定した場合に、非常に低い湿潤引張強度を有する。
【００４２】
急速水分解性材料は、水または水分により、半日、１日、または数日以内に溶解するシート、紙または同様のものであってもよい。また、より急速な溶解性材料が使用されてもよい。崩壊性、分解性、および溶解性という用語は、同義的である。
【００４３】
ミックスとは、材料が別の材料と混合される場合を意味し、これはまた、材料が塩等の溶解した材料を含む溶液中に含浸または浸漬される場合であってもよい。
【００４４】
種子からの所与の半径以内で土壌を実質的に被覆することに関連して、実質的な被覆とは、種子を中心として所与の半径で描かれた想像上の円の面積の少なくとも７０％の被覆を意味するようにみなされる。より好ましくは、被覆は、少なくとも８０％、さらにより好ましくは少なくとも９０％、さらにより好ましくは少なくとも９５％、さらに好ましくは９９％超、最も好ましくは１００％である。
【００４５】
吸水性材料を実質的に封入することに関連して、実質的とは、移動および使用における通常の取り扱い中に、吸水性材料のほとんどが筐体内に保持されることを意味するようにみなされる。そのような実質的封入は、筐体が１つ以上の穴もしくは開口を有し得る、または筐体が容易に開かれ得る、および／もしくは再封止され得るように構築される可能性を除外しない。また、取り扱いおよび／または移動中、一部の吸水性材料は筐体から漏出し得ることが理解される。
【００４６】
発芽率という用語は、植え付けられた種子の数で除した発芽した種子の数をパーセンテージで表現したものを指す。屋外で生長した種子は、最初の第二葉または針葉が観察され、種子の殻が消失した場合に、発芽したものとして数えられる。温室内では、種子は、萌芽が種子の長さに到達した場合に発芽したとされる。最も重要な因子は、圃場においてどのように種子が発芽するかである。
【図面の簡単な説明】
【００４７】
【図１】図１は、播種ユニットおよび異なる部分の例を示す図である。（１）筐体の上部、（２）吸水性材料、（３）種子保持部、（４）筐体の底部、（５）および（６）穴、ならびに（７）種子。
【図２】図２は、Ａ：種子と播種ユニットの境界との間、Ｂ、２つの種子の間の最適距離、を示す図である。
【図３】図３は、実質的に丸い播種ユニットおよび異なる部分の例を示す図である。図３Ａは、筐体の上部（１）、任意選択で圧縮された吸水性材料（２）、筐体の底部（４）、および種子（７）を保持するために吸水性材料内の任意選択の穴（８）を示す図である。図３Ｂの上の変形例は、圧縮された吸水性材料の「プレート」の下に種子が設置された、実質的に丸い播種ユニットの図（断面図）である。図３Ｂの下の変形例は、圧縮された吸水性材料の底部に形成された空洞内に種子が設置された、実質的に丸い播種ユニットの図（断面図）である。図３Ｃは、穴の内側に種子が設置された、実質的に丸い播種ユニットの図（断面図）である。図３Ｄは、土壌（９）からの毛管水が圧縮された吸水性材料（２）内に輸送され、これが膨張して種子を被覆する様子を示す図である。矢印は、毛管水の流れを示す。図３Ｅは、膨潤した（膨張した吸水性材料）播種ユニットを示す図である。図３Ｆは発芽した種子を示す図である。
【図４】図４は、牽引強度ＤＲＹ、ｋＮ／ｍを示す図である。使用された異なる紙用パルプは、実施例１２、表３に定義される。
【図５】図５は、牽引強度ＷＥＴ  ｋＮ／ｍを示す図である。
【図６】図６は、牽引指数ＤＲＹ、Ｎｍ／ｇを示す図である。
【図７】図７は、牽引指数ＷＥＴ  Ｎｍ／ｇを示す図である。
【図８】図８は、ＷＥＴ／ＤＲＹ牽引強度間の比率を％で示した図である。
【発明を実施するための形態】
【００４８】
本発明の目的は、上述の問題の１つ以上に対する改善された解決策を提供する方法およびデバイスを提供することである。
【００４９】
本発明の方法およびデバイスは、特に、屋外の乾燥環境において使用された場合の良好な長期栄養物質供給の提供と組み合わせた、種子を発芽させるための安定した湿気のある微気候の提供に適している。
【００５０】
植え付けは、ほとんどの地帯で行うことができ、特に、中間的粗粒のシルト、細砂、および砂質のシルト質氷堆石に適している。
【００５１】
播種ユニットは、上部（１）および底部（４）を実質的に平面状部材として有するように形成されてもよいが、これは丸または正方形、長方形もしくは実際に取り扱われ保存され得る任意の形状であってもよい。正方形播種ユニットのサイズは、６×６ｃｍ、７×７ｃｍ、８×８ｃｍ、９×９ｃｍ、１０×１０ｃｍ、１０×１５ｃｍ、１０×２０ｃｍ、１０×３０ｃｍ、１０×４０ｃｍ、または１０×５０ｃｍであってもよい。播種ユニットはまた、サイズの他の組み合わせを有してもよい。
【００５２】
実質的に丸い播種ユニットのサイズは、例えば、直径２、３、４、５、６、７、８、９、１０、１１、１２、１３、または１４ｃｍであってもよい。これは稀に、５０ｃｍまでの直径を有してもよい。ユニットの底部は、播種ユニットが使用される場合に土壌に対して設置されることが意図される部分である。この位置では、水収集材料（２）は、種子および土壌の両方を被覆する。種子からの半径は、種子、土壌、および播種ユニットの使用が意図される気候帯のいずれにも依存する。
【００５３】
森林の再生のための植林地においては、水収集材料の領域が、生育用毛管水を収集するのに十分大きいことが重要である。予想外にも、半径約５ｃｍの領域を有する水収集材料は、マツの種子の発芽を開始させるための生育用毛管水を収集するのに十分大きいことが判明した。結果は、種子から半径５ｃｍの範囲内のこの領域の２５年間を試験したモデル研究において確認された。これらの計算は、Ｓｗｅｄｅｎにおけるマツの種子に対して行われている。
【００５４】
他の種子または他の生息環境は、毛管水を収集するために種子の周囲のより小さい、またはより大きい領域を必要とし得る。
【００５５】
したがって、それぞれの種子が、種子の周囲の吸水性材料の十分な領域を有することが重要である（図２を参照されたい）。この領域は、直径１、２、３、４、５、６、７、８、９、１０、１２、１４、１６、１８、２０、または最大２５ｃｍであってもよい。この領域は、実用上の理由から、２０ｃｍを超えなくてもよいが、稀に２５ｃｍの半径を超えなくてもよい。
【００５６】
圃場実験の間、栄養物質の異なる供給が、新たに植え付けられた種子を被覆するための泥炭と組み合わせて試験された。Ｌ−アルギニンがドープされたバーミキュライトと混合された泥炭を用いて行われた１つの試験において、発芽率は、泥炭または腐植土で被覆しただけの場合と比較して予想外に高かった（圃場試験において７０％超）が、詳細に関しては実験３を参照されたい。
【００５７】
播種のための方法を見出すために、ある種のツールを探求した。播種のための異なる種類のデバイスは、市場および文献の両方において見出されたが、いずれも、容易な取り扱いのための要件を満足せず、また、種子の上の土壌上に設置された場合に泥炭等の吸水性材料が種子を被覆するような設計を有していなかった。
【００５８】
ある播種ユニットが開発された。第１の試作品は、封筒のサイズの紙で作製され、水収集材料、泥炭、および負電荷材料、Ｌ−アルギニンがドープされたバーミキュライトで充填された。この試作品は機能したが、圃場試験においては吹き飛ばされる傾向があった。紙は硬すぎて、土壌上の質感に適合しなかった。次のバージョンの播種ユニットは、カバノキ、アメリカシラカンバから作製された。この種の紙は、水と接触すると容易に溶解することが予測されるために選択された。これはまた、実施例２において検証された。
【００５９】
さらに、短繊維紙で作製された播種ユニットは、吸水性材料、吸湿性負電荷材料と混合された泥炭、アミノ酸Ｌ−アルギニンがドープされたバーミキュライトで充填された。
【００６０】
播種ユニットの他の試作品は、圧縮バーミキュライトディスクを有する上部および底部溶解性紙で作製された。１つの播種ユニットには、種子用の穴が形成された。このバージョンの利点は、種子が常に穴の内側に落ち込むため、どちら側が上または下であったかが重要ではないことである。圧縮バーミキュライトディスクが土壌から毛管水を吸収し始めるとすぐに、圧縮バーミキュライトは膨張し、種子はバーミキュライトにより被覆され（図３Ｃ〜Ｆを参照されたい）、それにより種子が被覆されて日光および乾燥から保護される。種子が底部の紙と圧縮バーミキュライトディスクとの間に設置された、上下裏返したプレート状の１つの他の播種ユニットが作製された（図３Ｂ（上の変形例）を参照されたい）。より具体的には、この実施形態において、播種ユニットは、種子を被覆する平坦で本質的に丸い中心部と、外側周縁の本質的に丸い部分とを有してもよく、外側周縁部は、本質的に、土壌に接触するように設計される。また、別の実施形態（図３Ｂ（下の変形例））において、播種ユニットは、種子を被覆する本質的に丸い空洞を有する本質的に丸いディスクであってもよく、丸いディスクは、本質的に、土壌に接触するように設計される。これらの試作品の利点は、それらの製造が容易であり、取り扱いが単純であることである。
【００６１】
圧縮バーミキュライトディスクは、１ｇ、２ｇ、３ｇ、４ｇ、５ｇ、６ｇ、７ｇ、８ｇ、９ｇ、１０ｇ、１１ｇ、１２ｇ、１３ｇ、１４ｇ、１５ｇ、１６ｇ、１７ｇ、１８ｇ、１９ｇ、２０ｇ、２１ｇ、２２ｇ、２３ｇ、２４ｇ、２５ｇ、２６ｇ、２７ｇ、２８ｇ、２９ｇ、または３０ｇ（グラム）のバーミキュライトを含有してもよく、好ましい圧縮バーミキュライトディスクは、６〜８ｇ、６〜９ｇ、６〜１０ｇ、６〜１１ｇ、６〜１２ｇ、６〜１３グラムのバーミキュライトを含有してもよい。正電荷栄養物質イオンに結合することができる吸湿性負電荷材料を使用する利点は、負電荷材料と正電荷栄養物質イオンとの間の強いイオン相互作用である。この相互作用は、正電荷栄養物質イオンが負電荷材料から徐々に遊離する理由であると予測される。徐放性栄養物質（特に窒素）は、その最初の２年間の生長の間の苗の生長および樹立に本質的に重要である。マツの種子は、通常、生長の最初の年は貯蔵された種子の窒素を使用し、最初の２年目は土壌からの窒素を使用し、したがって、新生苗の高い生長および発達を維持するためには、長期持続性の栄養物質供給が必須である。
【００６２】
実験に基づいて、放出された窒素は、２年の期間の間に使用されることが示された（実施例３）。これは、栄養物質が雨により希釈され、発芽した植物から極めて急速に流出してしまう従来の肥料とは非常に異なるものである。したがって、肥料効果は、長期にわたっては観察されない。
【００６３】
筐体として短繊維紙で作製された播種ユニットでは、Ｌ−アルギニンがドープされたバーミキュライトは、圃場実験において予想外に良好に機能し、発芽率は約７０％であった。
【００６４】
したがって、播種ユニットにおける筐体は、好ましくは、紙シートで作製される。播種ユニットにおける紙は、水、主に雨、湿度、または毛管水により非常に容易に溶解すべきである。湿度は、周囲の空気または地面からのものであってもよい。紙は、おおむね数日で完全に溶解すべきである。水崩壊性紙は、リグニンを含む、または含まない短セルロース繊維を含んでもよい。また、カルボキシメチル改質セルロースＣＭＣ等の改質短セルロース繊維が使用されてもよい。急速溶解紙の１つの利点は、風が播種ユニットを容易に移動させないことである。また同時に、筐体が溶解するとすぐに、種子（複数可）は吸水性材料により被覆され、動物が種子を見つけるための外観的手がかりを残さず、鳥または他の動物が種子を食べるのを防止する。さらなる利点は、播種ユニットの全ての成分が天然であり、分解されるため、再び植え付けられた領域を汚す材料が残留しないことである。
【００６５】
好ましい紙は、乾燥時に０．５ｋＮ／ｍ超の牽引強度を、また湿潤時に０．１ｋＮ／ｍ未満の牽引強度を有するべきである（図４および５を比較されたい）。また、好ましい紙は、乾燥時に１０Ｎｍ／ｇ超の牽引指数を有してもよく、湿潤時は、牽引指数は、２Ｎｍ／ｇ未満であるべきである（図６および７を比較されたい）。牽引指数は、紙の重量に関連する。
【００６６】
いくつかの紙は湿潤時に完全に溶解し、これらの紙は播種ユニットの一部として最適となり得ることに留意されたい。溶解（湿潤）する紙の場合、牽引強度または指数は計算され得ず、ゼロに設定される。
【００６７】
以下の紙が、本発明において使用され得る紙およびパルプの有用な例である。有用な紙は、乾燥または非乾燥漂白カバノキ硫酸塩紙、砕木パルプ紙、非漂白針葉樹硫酸塩紙、およびＣＴＭＰパルプ１または２で作製された紙である。本発明によれば、好ましい紙は、非漂白カバノキもしくは針葉樹硫酸塩パルプ、または漂白乾燥カバノキ硫酸塩パルプで作製される。有用でない紙は、印刷に使用される普通紙である。
【００６８】
崩壊性または溶解性紙の特性は、標準ＩＳＯ３７８１：１９８３またはその後のバージョン「紙および板紙―水中浸漬後の引張強度の決定（Ｐａｐｅｒ  ａｎｄ  ｂｏａｒｄ  −Ｄｅｔｅｒｍｉｎａｔｉｏｎ  ｏｆ  ｔｅｎｓｉｌｅ  ｓｔｒｅｎｇｔｈ  ａｆｔｅｒ  ｉｍｍｅｒｓｉｏｎ  ｉｎ  ｗａｔｅｒ）」を用いて、水中に浸した後の引張強度により測定される。引張強度は、繊維長さおよびリグニンの含量に関連する。「牽引強度」および「引張強度」という用語は、紙の強度を決定するための同じ方法を指し、これらの用語は、同義的に使用され得る。
【００６９】
リグニンを含む短セルロース繊維を用いた溶解性紙が、播種ユニットに好ましい。湿潤引張強度は、０．０００１〜０．０１ｋＮ／ｍ、０．０００１〜０．０２ｋＮ／ｍ、０．０００１〜０．０３ｋＮ／ｍ、０．０００１〜０．０４ｋＮ／ｍ、０．０００１〜０．０５ｋＮ／ｍまたは０．０００１〜０．１ｋＮ／ｍの範囲内であってもよい。引張強度は、０．０００１〜０．００１ｋＮ／ｍであってもよい。いくつかの崩壊性または溶解性紙の場合、それらは水または水分と接触するとすぐにおおむね完全に溶解するため、引張強度を測定することができない。
【００７０】
筐体の底部は、筐体の上部よりも容易に溶解してもよい。これの利点は、これがより迅速に溶解し、それによって地面により迅速に付着するため、風が播種ユニットを容易に移動させないことである。さらに、これは、土壌の表面輪郭に適合し、それによって毛管水をより良好に収集する。
【００７１】
筐体の上部および底部は、褐色であるか、または地面に適合するように着色されてもよく、これは、種子を食べる鳥または動物が、種子（複数可）を発見するのを防止するのを補助することができ、好ましくは上部は褐色であってもよい。底部は白色であってもよい。操作者が播種ユニットを地面に正しい方位で設置するのを補助するために、異なる色の上部および底部が使用されてもよい。
【００７２】
地面上に設置された際に、種子が吸水性材料の下に設置される（すなわち、上から見た場合に種子が吸水性材料により被覆される）ことが非常に重要である。この方位により、種子は、最も有利な水分条件を有する領域において配向される。水分または水へのアクセスは、発芽率にとって非常に重要である。
【００７３】
輸送および地面への設置中に播種ユニットが壊れるのを防止するためには、筐体の強度が乾燥段階において十分に強いことが重要である。
【００７４】
筐体は、１つの部品、または同じもしくは異なる材料で作製されていてもよいいくつかの別個の部品で作製されてもよい。
【００７５】
筐体は、種子の近くに一連の穴（６）を有してもよい。
【００７６】
種子は、小さい種子保持部（３）の支持により最適な位置に維持されてもよい。これらの穴は、種子が発芽する確率を改善して、極度に乾燥した状態の間崩壊しない場合に芽が筐体を貫通するのを簡易化することができる。
【００７７】
播種ユニットが異なる種類の種子に対して有用であることを検証するために、バジル（Ｏｃｉｍｕｍ  ｈａｓｉｌｉｃｕｍ）およびオオウシノケグサ（Ｆｅｓｔｕｃａ  ｒｕｂｒａ）からの種子を用いた実験を設定した。実験１０において示される結果は、発芽率が上昇したことを示している。
【００７８】
種子保持部（３）は、輸送および取り扱い中に種子が移動するのを防止するために、筐体の底部（４）に固定されてもよい。播種ユニットにおいて２つ以上の種子が使用される場合、種子保持部（３）は、種子を互いから離して維持する。種子間の距離において、最適距離は約１０ｃｍであるが、６、７、８、９、１１、１２、１３、および１４ｃｍ、最大５０ｃｍまでであってもよい。種子保持部を使用するさらなる利点は、種子が、発芽に悪影響を及ぼし得る接着剤または他の化学物質に接触するのを防止することである。接着剤は、播種ユニットの組み立てに必要となり得る。
【００７９】
筐体の上部、底部および／または種子保持部において、異なる種類の溶解性材料が使用されてもよい。これらの部分は、例えば、木の葉からのセルロース、好ましくは短セルロース繊維で作製され得る。そのような溶解性紙はリグニンを含んでもよく、これはシートを褐色とするため好ましくなり得、また、リグニンを含む紙は、容易に溶解することが示されている。
【００８０】
筐体の上部（１）および／または種子保持部（３）が溶解性材料で作製される場合、これは、苗の生長を促進し得る。
【００８１】
播種ユニットにおける吸水性材料（２）は、非圧縮時に、０．１〜１ｃｍ、０．５〜２ｃｍ、０．５〜５ｃｍ、１〜２ｃｍ、１〜３ｃｍ、１〜４ｃｍ、１〜５ｃｍの厚さ、または２〜３ｃｍ、２〜４ｃｍ、２〜５ｃｍの厚さであってもよい。任意選択で、さらに厚い吸水性材料が使用されてもよい。好ましい厚さは、非圧縮時に１ｃｍである。吸水性材料は、輸送中に圧縮され得る。輸送のために、または輸送の間圧縮される場合、本出願において示される厚さは、吸水性材料が例えば植え付け後の雨により完全に湿潤した後に達成される、非圧縮状態を指す。
【００８２】
筐体の底部の溶解後、吸水性材料が土壌上に分布し、材料と土壌との間の良好な接触を確保するように、吸水性材料は、ゆるい状態、または顆粒状（少なくとも非圧縮状態）であるべきである。これは、水分収集が改善される効果を有し、動物および風がユニットまたは種子を移動させるのをより困難なものとする。
【００８３】
植え付けられる種子は、土壌層を貫通するための異なるエネルギーを有するため、吸水性材料の厚さは、植え付けられる種子に関連することが重要である。本発明において、基材の厚さは、使用される種子に関連して定義される。マツの種子の場合、播種ユニットにおける吸水性材料の厚さは、好ましくは、非圧縮時に１ｃｍの範囲内である。
【００８４】
播種ユニットにおける吸水性材料は、５０〜２００ｍｌ、５０〜１００ｍｌ、５０〜２００ｍｌ、５０〜３００ｍｌ、１００〜２００ｍｌ、１００〜３００ｍｌ、１５０〜２００ｍｌ、５０〜３００、５０〜４００ｍｌ、５０〜５００ｍｌ、５０〜６００ｍｌ、５０〜７００ｍｌ、５０〜８００ｍｌの体積を有してもよい。好ましい体積は、１５０ｍｌである。
【００８５】
吸水性材料の吸水効果は、追加的な吸湿性材料の添加により向上され得る。播種ユニットの製造を容易化するために、吸水性材料は、吸湿性材料と混合されてもよい。
【００８６】
播種ユニットにおける追加的な吸湿性材料は、２５〜１００ｍｌ、２５〜１５０ｍｌ、２５〜２００ｍｌ、５０〜１００ｍｌ、５０〜１５０ｍｌ、５０〜２００ｍｌ、１００〜１５０ｍｌ、１００〜２００ｍｌ、５０〜３００、５０〜４００ｍｌ、５０〜５００ｍｌ、５０〜６００ｍｌ、５０〜７００ｍｌ、５０〜８００ｍｌの体積を有してもよい。好ましい体積は、５０ｍｌである。
【００８７】
吸水性材料中の追加的な吸湿性材料の割合は、５％、１０％、１５％、２０％、２５％、３０％、４０％、５０％、６０％、７０％、８０％、９０％、９５％、または９９％、好ましくは約２０％であってもよい。
【００８８】
吸水性材料および吸湿性材料はまた、例えば泥炭の場合のように同じであってもよく、または、泥炭およびバーミキュライトの組み合わせが使用される場合のように別個であってもよい。
【００８９】
したがって、上記項目による好ましいバージョンの播種ユニットは、唯一の吸湿性負電荷材料としての充填バーミキュライトである。さらにより好ましいバージョンの播種ユニットは、唯一の吸湿性負電荷材料として圧縮バーミキュライトを備える。
【００９０】
圧縮された吸水性材料（２）は、種子の直径に関連した厚さを有し得る。圧縮された吸水性材料は、少なくとも対象となる種子の直径の厚さを有してもよく、すなわち、厚さは、選択された種子の最大直径の１〜１．１、１〜１．２、１〜１．３、１〜１．４、１〜１．５、１〜１．６、１〜１．７、１〜１．８、１〜１．９または１〜２、１〜２．５、１〜３倍であってもよい。例えば、３ｍｍの近似直径を有する種子（マツの種子は２〜４ｍｍの間である）の場合、厚さは３．３ｍｍ〜９．０ｍｍであってもよく、好ましくは、マツの場合、圧縮バーミキュライトディスクの厚さは、４〜７ｍｍであってもよく、最も好ましくは、５または６ｍｍの厚さの圧縮バーミキュライトディスクであってもよい。
【００９１】
唯一の吸湿性負電荷材料としてのバーミキュライトにはいくつかの利点がある。播種ユニットを製造するのが容易である。バーミキュライトは鉱物で非常に安定であり、したがって分解することなく非常に長い期間保存され得る。バーミキュライトは薄層の圧縮バーミキュライトとして互いに圧縮され得、これは、水分に曝露されると膨張し、それにより毛管水を収集するのに必要な厚さを形成する。圧縮バーミキュライトを使用するさらなる利点は、多くの播種ユニットを保存および取り扱うべき場合、体積がより小さいことである。
【００９２】
吸水性および／または吸湿性材料には、栄養物質がドープされてもよい。栄養物質は、最も重要な元素Ｎ、Ｐ、およびＫ、または土壌に依存してそれらの組み合わせを含んでもよい。好ましい栄養物質は、塩基性アミノ酸または硝酸アンモニウムである。それぞれの種子は、好ましくは塩である塩酸アルギニンＡｒｇ−ＨＣｌの段階における約１０ｍｇの窒素を必要とし得る。任意選択で、生長促進剤、殺虫剤、または殺菌剤等の他の添加剤が添加されてもよい。
【００９３】
本発明は、以下の一連の実験により裏付けられる。
【実施例】
【００９４】
実施例１
Ｌ−アルギニンドープバーミキュライトの生成
以下の実験において、５５ｇのＬ−アルギニンを１０００ｍｌの水に溶解した。この溶液に、６０グラムのバーミキュライトを添加し、室温で１時間撹拌した。撹拌後、真空濾過によりバーミキュライトを取り出し、続いて４０℃で１時間乾燥させた。これにより、生成されたドープバーミキュライト中約５％の窒素濃度が得られる。他の窒素濃度もまた使用されたが、詳細に関しては以下の実験を参照されたい。
【００９５】
実施例２
栄養物質のバーミキュライトへの結合の検証
１０．３重量％のＬ−アルギニンの含量を有する、Ｌ−アルギニンによるアルギニンドープ膨張バーミキュライトを、実験に使用した。３０ミリリットルのＬ−アルギニンドープバーミキュライトを、底部に濾紙を備えた漏斗に導入した。段階的に水を添加し（各時点で３０ｍｌ）、３０ｍｌの水の各添加後に流動溶液中で導電率を測定した。結果は以下の表１に要約される。
【表１】
0006735006.tif 000002
【００９６】
結果は、Ｌ−アルギニンが他の栄養物質よりも強力にバーミキュライトに結合することを明確に示している。導電率は、負電荷イオンと正電荷イオンとの間で差がない。したがって、硝酸イオンＮＯ３−は水の最初の添加の間に洗い流される最初のイオンであるという推定が適切である。
【００９７】
実施例３
アルギニンドープバーミキュライトを使用することによる発芽率の増加
【００９８】
ほとんどの商業的植物生産において、施肥が重要な因子である。施肥は、用量、タイミング、頻度等に関していくつかの様式で行うことができる。１つの施肥戦略は、播種または挿し木の発根の前に生長基材に事前に施肥することである。事前施肥により、生長基材に比較的大量の栄養物質を投入することができる。栄養物質の量は、植物生長をより長期間維持し、したがって連続的施肥の必要性を排除する（これは一方で手間を省く）のに十分であるべきであり、森林の再生においては、連続的施肥は現実的に全く不可能である。しかしながら、任意の植物基材を大量の肥料で事前に施肥する際の重要な問題は、発芽および苗の発達に影響する塩ストレスのリスクである。
【００９９】
以下の実験では、Ｌ−アルギニンドープバーミキュライトを事前施肥試験に使用した。参照処理として、アンモニウムドープバーミキュライトを生成した。アンモニウムは、入手可能な唯一のカチオン性の市販窒素肥料であり、マツの苗の生長に一般に使用されているため、対照として選択された。しかしながら、アンモニウムドープバーミキュライトはそのような市販の製品ではなく、試験目的で調製されただけであることに留意されたい。試験において、鉢当たり４０ｍｇの窒素用量が選択された。マツの苗の生長において、４０ｍｇの窒素は、６ヶ月間の生長を維持するのに十分であるはずである。
【０１００】
１０．３重量％のＬ−アルギニン含量を有するアルギニンドープ膨張バーミキュライトを、実験に使用した。２．６％の窒素含量を有するアンモニウムドープ膨張バーミキュライトを、対照として使用した。アンモニウムドープバーミキュライトは、９％アンモニウム溶液を使用して、アルギニンドープバーミキュライトに関して説明したのと同じ様式で調製した。
【０１０１】
以下の基材混合物を使用した（５０ｍｌの鉢当たり）：
アルギニンドープバーミキュライト、鉢当たり４０ｍｇ窒素当量：
１．２ｇのアルギニンドープバーミキュライト＋Ｘｍｌの非ドープバーミキュライト、全１０ｍｌのバーミキュライトおよび５７ｍｌのミズゴケ泥炭。
窒素以外の全ての栄養物質に関して、ａｒＧｒｏｗ  Ｃｏｍｐｌｅｔｅ（登録商標）の組成と一致する１．８９ｍｌの溶液を添加することにより、他の栄養物質を供給したが、成分の全体積は、鉢を充填する際の基材の圧密により６０ｍｌ超であった。
アンモニウムドープバーミキュライト、鉢当たり４０ｍｇ窒素当量：
１．７３ｇのアンモニウムドープバーミキュライト＋Ｘｍｌの非ドープバーミキュライト、全１０ｍｌのバーミキュライトおよび５７ｍｌのミズゴケ泥炭。
【０１０２】
窒素以外の全ての栄養物質に関して、ａｒＧｒｏｗ  Ｃｏｍｐｌｅｔｅ（登録商標）の組成と一致する１．８９ｍｌの溶液を添加することにより、他の栄養物質を供給したが、成分の全体積は、鉢を充填する際の基材の圧密により鉢容積である５０ｍｌ超であった。
【０１０３】
両方の処理において、ミズゴケ泥炭に、多量栄養物質および微量栄養物質を含有する溶液を噴霧した。次いで、ミズゴケ泥炭を、ドープおよび非ドープバーミキュライトのミックスと混合した。次いで、最終的な基材を、それぞれ５０ｍｌの容積を有する６０個の鉢を有する生長ボックス内に充填した。
【０１０４】
植え付けは、容器当たり１つの種で行い、Ｐａｌｂｅｒｇｅｔ、Ｓｗｅｄｅｎを起源とするマツであるヨーロッパアカマツの種子を用いた。
【０１０５】
容器に定期的に注水し、最初にプラスチックで被覆して高い空気湿度を維持した。播種から約１週間後にプラスチックカバーを除去した。生長温度は約２０℃であり、日照時間は１６時間であった。生長容器には一定の間隔で水を遣ったが、いかなる追加的な肥料も与えなかった。
【０１０６】
播種から５、７、および３８日後、発芽した種子／生存する苗の数を数えた（表１）。
【表２】
0006735006.tif 000003
【０１０７】
この実験は、事前に施肥された基材としてのアルギニンドープバーミキュライトの使用が、アンモニウムドープバーミキュライトを用いた場合よりもはるかに多数の苗をもたらすことを結論付けている。発芽率は、少なくとも８３％と非常に良好であった。
【０１０８】
実施例４
Ｌａｐｌａｎｄ  ＳｗｅｄｅｎのＧaｌｌｉｖａｒｅ近くの乾燥地域における２０１１年からの圃場試験において、１）アルギニンで事前処理された基材、および２）当時屋外植え付けに使用された最善の方法とみなされるミクロ調製を用いて植え付けられた種子の間で、苗の形成および苗の発達（生長）が比較された。
【０１０９】
実験ではまた、アルギニンで事前処理された基材を適用する異なる手法も試験された。
【０１１０】
アルギニンで事前処理された基材は、２つの主成分、バーミキュライトおよび泥炭（ミズゴケ）で作製される。バーミキュライトおよび泥炭のミックスは、泥炭はその重量と比較して重量の２２０〜３２５％という大量の水を保持することができ、バーミキュライトは水と同様に大量の塩基性アミノ酸、Ｌ−アルギニンに結合することができるという、２つの有利な特徴を組み合わせる。バーミキュライトの追加的な利点は、硝酸カリウムおよび硝酸アンモニウムと比較して極微量のアルギニンが地面に漏出するという点である。
【０１１１】
材料および実験設定
窒素（Ｎ）を全重量の３．７％の窒素濃度に到達させるように、バーミキュライトにＬ−アルギニンを投入した。２０部のＬ−アルギニン処理バーミキュライトおよび８０部の泥炭の比でＬ−アルギニン処理バーミキュライトを泥炭と混合し、泥炭中２０体積％のＬ−アルギニン処理バーミキュライトを得た。
【０１１２】
全窒素投入量は、２００ｍｌのＬ−アルギニン処理バーミキュライト−泥炭ミックス中１００ミリグラムＮと計算されたが、これは、以下の実験において、種子当たり２０ｍｇ  Ｎに相当する。
【０１１３】
土壌の異なる処理を含む６つの異なる播種方法が設定された。
【０１１４】
土壌は、６つ全ての播種において砂質であった。
１．播種前に土壌を処理せず、Ｌ−アルギニン処理バーミキュライト−泥炭ミックスを添加しなかった。
２．播種前に土壌を棒で混合することにより土壌を処理し、Ｌ−アルギニン処理バーミキュライト−泥炭ミックスを添加しなかった。
３．播種前にミクロ調製により土壌を処理し、Ｌ−アルギニン処理バーミキュライト−泥炭ミックスを添加しなかった。
４．ミクロ調製により土壌を処理し、播種前のミクロ調製の間Ｌ−アルギニン処理バーミキュライト−泥炭ミックスを添加した。
５．土壌を処理せず、Ｌ−アルギニン処理バーミキュライト−泥炭ミックスの１ｃｍ層を種子の上に添加した。
６．ミクロ調製により土壌を処理し、Ｌ−アルギニン処理バーミキュライト−泥炭ミックスの１ｃｍ層を種子の上に添加した。
【０１１５】
結果：
植物形成および生長を、２年間追跡した。播種から２年後、処理間で生長の差が見られるかを決定するために、植物の一部を全ての処理から回収した。
【０１１６】
未処理の鉱質（砂質）土壌と比較して、全ての処理は、より高い発芽率および植物形成率を示した。
【０１１７】
ミクロ調製された土壌およびアルギニンで事前処理された基材と混合された土壌においては、若干より高い植物形成率が認められた。
【０１１８】
最良の植物形成率の結果は、アルギニンで事前処理された基材により被覆された土壌から得られ、種子は、まずミクロ調製され、次いでアルギニンで事前処理された基材により被覆された土壌に植え付けられた。結果は、表２に要約される。
【表３】
0006735006.tif 000004
【０１１９】
実施例５
播種ユニットの作製
約１２×１７ｃｍのサイズの２枚の薄い短繊維（カバノキ繊維）紙を作製した。
【０１２０】
使用された紙は水中で数秒以内に容易に溶解したため、その引張強度は、使用された機器では測定できなかった。標準ＩＳＯ３７８１：１９８３における方法に従えば、引張強度は０．００ｋｇＮ／ｍであった。
【０１２１】
図１の描写に従い、穴を作製した。穴を有する２つの種子保持紙を、各播種ユニットに対して約５×５ｃｍのサイズで作製した。
【０１２２】
Ｓｗｅｄｅｎにおいて使用された種子は、ＳｋｏｇＦｏｒｓｋから購入し、種類はＴａｌｌ  Ｖaｇｅ、９９．５％の推定発芽率、１０００ｋｖ  ８．０１であった。
【０１２３】
Ｆｉｎｌａｎｄにおいて、種子は、Ｈａｎｋｅ  ７５０４、Ｎｏｒｆｏｒを起源とし、９９．５％の推定発芽率であった。
【０１２４】
播種ユニットの調製において、最初の２つの種子を底部の紙上に設置し、２枚の種子保持紙を、セルロース系接着剤で各種子の上で接着した。２つの種子の間の距離は、約１０ｃｍであった。
【０１２５】
次いで、セルロース系接着剤を底部の紙の３辺に塗布し、上部の紙に接着してバッグを形成し、これに、１２７，５ｍｌの泥炭（ミズゴケから作製）、４２，５ｍｌのバーミキュライトおよび１０ｍｇのＬ−アルギニン−ＨＣｌを充填した。最後に、バッグの４辺を接着して播種ユニットを形成したが、これは封筒のようであった。
【０１２６】
このプロセスを、数百個のユニットの製造のために、ＭｏＲｅ  Ｒｅｓｅａｒｃｈ、Oｒｎｓｋoｌｄｓｖｉｋ、Ｓｗｅｄｅｎと共同してさらに発展させた。
【０１２７】
実施例６
上部および下部の紙の溶解
実験２に従って作製される１１個の播種ユニットを作製し、５月３１日に、Ｂｕｌｌｍａｒｋ、Ｕｍｅa、Ｓｗｅｄｅｎにおける植林の試験領域で、屋外の砂質土壌上に設置した。４日後、紙は溶解し始め、全てのユニットが土壌に強力に付着した。１週間後、紙は完全に溶解した。この紙の迅速な崩壊は、播種ユニットが吹き飛ばされる、または動物（鳥）により移動されるリスクを排除すると共に、地面基材との完璧な接触層を形成して生育用毛管水を収集するため、重要である。また、従来の種まきされた種子の９％と比較して７３％を超える高い発芽結果は、種子が発芽および生長するための良好な環境の形成におけるユニットの有効性を立証した。
【０１２８】
実施例７
実施例５に従って作製される５０個の播種ユニットを、６月２４日に、Ｂｕｌｌｍａｒｋ、Ｕｍｅa、Ｓｗｅｄｅｎにおける植林の試験領域で、屋外の砂質土壌上に設置した。通常、直まきは、夏至（６／２１）以降には、条件が温かく乾燥しているとみなされるため、実践されていない。実験の目的は、７月中の非常に乾燥した条件におけるユニットの性能を試験することであった。実施例６のように、播種ユニットの紙は迅速に溶解し、ユニットはいずれも、風または動物により移動されなかった。１週間後、紙は完全に溶解した。実施例６のように、ユニットの使用は、７９％を超える高く安定した発芽結果をもたらした。
【０１２９】
実施例８
実施例５に従って作製される５０個の播種ユニットを、２０１３年６月１３日に、Ａｇｎｓｊoｎ、Ｂｊｕｒｈｏｌｍ、Ｓｗｅｄｅｎにおける植林の試験領域で、屋外の中粒砂砂質土壌上に設置した。実施例６のように、播種ユニットの紙は迅速に溶解し、ユニットはいずれも、風または動物により移動されなかった。１週間後、紙は完全に溶解した。ユニットの使用は、７５％を超える高く安定した発芽結果、および十分に発達した苗をもたらした。
【０１３０】
実施例９
Ｒｕｏｎｉｖａａｒａ、Ｆｉｎｌａｎｄで大規模な圃場実験を行い、播種ユニットを６月（５０ユニット）、７月（５０ユニット）、８月（５０ユニット）、９月（５０ユニット）、１０月（５０ユニット）に植え付け、また、異なる土壌が発芽率に影響するかを調査するために、それらを異なる水分条件で土壌に設置した。結果は、４０日後に、播種ユニットの発芽率が約７０％であったことを示している。また、２０１４年における追加的なインベントリでは、１０月および１１月に植え付けられ、２０１４年の間に発芽した播種ユニットの高い発芽率が明らかとなった。記録された発芽率は、１０月では６９％、１１月では７６％であった。
【０１３１】
実施例１０
マツの種子の他に、アサツキ、オレガノ、バジル、オオウシノケグサに対しても温室試験を行った。試験は、２０１３年の間温室内で行った。各種の２０個の種子を、湿った砂質土壌に播種ユニット下で播種した。参照として、２０個の種子を、被覆なしで湿った砂質土壌に直接播種した。種子に追加的な水を供給せず、毎週苗発芽を追跡した。結果は、播種ユニットを使用した場合、発芽率が全ての種子においてはるかにより高いことを明確に示し、ここでも、種子が発芽および生長するための良好な環境を形成する上でのユニットの有効性が立証された。
【表４】
0006735006.tif 000005
【０１３２】
実施例１１
播種ユニットのさらにより効果的な水分保持容量を生成するために、バーミキュライトを単一の充填材料として試験した。３つの異なる体積、５０、１００、および１５０ｍｌのバーミキュライトを、実施例５に記載のような同じ封筒状バッグに充填した。１〜２ｍｍ、２〜４ｍｍ、および２〜５ｍｍのバーミキュライトの３つの異なる断片サイズを試験した。これらの播種ユニットを温室試験において評価したが、結果は、実施例５において使用されたようなバーミキュライトおよび泥炭の混合物が充填された播種ユニットと比較して、著しく増加した水分保持容量、および、より重要なことには、上部紙層のより急速な破壊を明らかにした。さらなる試験では、上部紙層の破壊速度を増加させたのは、高い吸水性と共に鋭い端部を有するバーミキュライトの構造であることが示された。上部紙層の急速な破壊は、新生苗の貫通を容易化し、風または動物（鳥）による播種ユニットの移動を防止するための重要な特徴である。温室設定においては、１００％バーミキュライトの使用は、種子の発芽特性に影響せず、植え付けられた全ての種子は、発芽し、播種ユニットの上部層を貫通することができた。
【０１３３】
実施例１２
播種ユニットの開発中、紙の異なる特性が重要であることが判明した。これらの特性の範囲を特定するために、異なる種類のパルプで作製された異なる種類の紙、処理および厚さを含む試験を行った。１つの普通のコピー用紙を参照として使用した。
【０１３４】
厚さは、ｍ２当たり使用されるグラム（ｇ）でのパルプの量により測定される。
【０１３５】
試験された紙におけるパルプの種類は、乾燥または湿潤していてもよい漂白および非漂白カバノキ硫酸塩パルプ、非漂白針葉樹硫酸塩パルプ、砕木パルプ、ならびに２種類の化学熱機械パルプ（ＣＴＭＰ）である。
【０１３６】
引張／牽引強度は、標準ＩＳＯ３７８１：１９８３を使用して、約５０％の水分で、および水に浸した後室温（２０℃）で測定した。簡潔には、１０ｃｍの紙を両端で固定し、徐々に力を増加させ、紙が破れた時の力を記録する。
【表５】
0006735006.tif 000006
【０１３７】
実施例１３
２０１４年の夏の間、Ｓｗｅｄｅｎ北部のＮｏｒｒｂｏｔｔｅｎからＶaｓｔｅｒｂｏｔｔｅｎの北部からの４つの異なる場所に植え付けられた４０００を超える播種ユニットを用いて、さらに大規模な圃場実験を行った。これらのユニットは、いかなる栄養物質も添加せずに、５０ｍｌのバーミキュライトと共に、上述のように漂白カバノキ硫酸塩パルプで作製された。マツの種子を、幅１０ｃｍの播種ユニットの中央に設置したが、種子は、可能な限り多くの水分を収集することができるように広範囲を被覆するために、全ての側に２〜５ｃｍのバーミキュライトを有していた。使用された種子は、Ａｌｖｉｋ  Ｔ１  ＦＰ−６２６、Ｓｔａｍｂｒｅｖ：Ｓ０４／０１２、発芽率９９．７５％、およびＳｌaｔｔｈｏｌｍｅｎ  Ｔ７  ＦＰ−６１９、Ｓｔａｍｂｒｅｖ：Ｓ０８／０５１、発芽率９８．２５％である。
【０１３８】
２０１４年の夏は、Ｓｗｅｄｅｎ北部において１５０年間に記録された最も温かい夏であり、また非常に乾燥していた。それにもかかわらず、８月下旬のインベントリの間、４つの試験場所のそれぞれにおいて高い発芽率が記録された。平均して、全ての場所において、発芽率は播種ユニットに対して６７％であり、一方参照に対しては、発芽率はわずか２７％に到達するのみであった。以下の表４を参照されたい。
【表６】
0006735006.tif 000007
【０１３９】
実施例１４
２０１４年の夏の間、Ｒｕｏｎｉｖａａｒａ、Ｆｉｎｌａｎｄにおける圃場実験を継続した（実施例９を参照されたい）。２０１４年の試験においては２種類の播種ユニットを使用し、１つは、５０ｍｌのアルギニンドープバーミキュライト（５ｍｇ  Ｎ／ユニット）および１つの種子を有する、漂白カバノキ硫酸塩パルプから作製された紙の前述の組成を有していた。他方の種類の播種ユニットは、実施例５に記載のように２つの種子で作製されたが、基材混合物として６０ｍｌの泥炭および６０ｍｌのアルギニンドープバーミキュライト（５ｍｇ  Ｎ／ユニット）を有していた。２種類の播種ユニットを、それぞれ６月（５０ユニット）、７月（５０ユニット）、８月（５０ユニット）、９月（５０ユニット）、１０月（５０ユニット）に圃場に植え付けた。両方の種類の播種ユニットにおいて、７月のインベントリでは、両方の種類の播種ユニットに対する高い発芽率が明らかとなり、２つ対１つの種子を有する播種ユニットに対して６５％および７４％の値であった（図Ｘ）。参照として、当時屋外植え付けに使用された最善の方法とみなされるミクロ調製を使用した。この処理により、４５％の発芽率が得られた。以下の表５を参照されたい。
【表７】
0006735006.tif 000008
【図１Ａ】
0006735006.tif 000009
【図１Ｂ】
0006735006.tif 000010
【図１Ｃ】
0006735006.tif 000011
【図２Ａ】
0006735006.tif 000012
【図２Ｂ】
0006735006.tif 000013
【図３Ａ】
0006735006.tif 000014
【図３Ｂ】
0006735006.tif 000015
【図３Ｃ】
0006735006.tif 000016
【図３Ｄ】
0006735006.tif 000017
【図３Ｅ】
0006735006.tif 000018
【図３Ｆ】
0006735006.tif 000019
【図４】
0006735006.tif 000020
【図５】
0006735006.tif 000021
【図６】
0006735006.tif 000022
【図７】
0006735006.tif 000023
【図８】
0006735006.tif 000024